(57)【要約】【課題】車両を貸し出す所有者および車両を借りる他者の双方がマイルームシェア利用に伴なう予定料金を予め知った上で、マイルームシェア利用を成立させる。【解決手段】サーバは、車両の電力残量および燃料残量を含むマイルームシェア許可情報を車両から取得するとともに、シェアユーザによる車両の利用予定時間を含むマイルームシェア要求情報をシェアユーザ端末から取得する。サーバは、マイルームシェア許可情報およびマイルームシェア要求情報に基づいてマイルーム課金情報を生成し、マイルーム課金情報を含むマイルームシェア条件をオーナー端末およびシェアユーザ端末にそれぞれ送信する。サーバは、オーナーおよびシェアユーザの双方がマイルームシェア条件を承認した場合に、シェアユーザと車両とをマッチングし、マッチングされたことを示す情報をオーナー端末およびシェアユーザ端末にそれぞれ送信する。【選択図】図５
2020079993.tif 000002
【特許請求の範囲】
【請求項１】
内燃機関と前記内燃機関に接続される回転電機と前記回転電機に接続される蓄電装置とを有する車両を所有者以外の他者に貸し出すカーシェアリングサービスを提供するための情報を提供する情報提供システムであって、
前記車両は、停車中の制御モードとして、前記車両の走行を禁止しつつ、前記内燃機関の動力を用いて前記回転電機が発電したエンジン発電電力または車外から供給される外部電力で前記車両の補機装置を作動することを許容するマイルームモードを有し、
前記情報提供システムは、
前記所有者が利用可能な第１端末と、
前記他者が利用可能な第２端末と、
前記車両、前記第１端末および前記第２端末と通信可能に構成されたサーバとを備え、
前記サーバは、
前記マイルームモードでの前記車両のシェア利用を前記所有者が許可している場合に、前記車両の電力残量および燃料残量を含むシェア許可情報を前記車両から取得し、
前記マイルームモードでの前記車両のシェア利用を前記他者が要求している場合に、前記他者による前記車両の利用予定時間を含むシェア要求情報を前記第２端末から取得し、
前記シェア許可情報および前記シェア要求情報に基づいて前記マイルームモードでの前記車両のシェア利用に伴なう課金情報を生成し、
前記課金情報を含むシェア条件を前記第１端末および前記第２端末にそれぞれ送信して前記マイルームモードでの前記車両のシェア利用の可否を前記所有者および前記他者に問合せ、
前記所有者および前記他者の双方が前記シェア条件を承認した場合に、前記他者と前記車両とをマッチングし、マッチングされたことを示す情報を前記第１端末および前記第２端末にそれぞれ送信する、情報提供システム。
【発明の詳細な説明】
【技術分野】
【０００１】
本開示は、車両を所有者以外の他者に貸し出すカーシェアリングサービスを提供するための情報提供システムに関する。
【背景技術】
【０００２】
特開２０１０−１８６２３８号公報（特許文献１）には、燃料供給場所に情報を提供する設備がなくても、車両の消費燃料料金に関する情報を車両に提供する情報提供システムが開示されている。この情報提供システムは、車両と、車両と通信可能に構成されたセンタとを備える。センタは、燃料供給場所と燃料単価とを予め対応づけた燃料単価情報を参照して、車両から取得した車両位置情報に対応する燃料単価を算出し、算出された燃料単価を車両へ送信する。車両は、センタから取得した燃料単価情報と、車両の燃料消費量とに基づいて、消費燃料料金を算出する。これにより、車両のユーザは、燃料供給場所から燃料供給を受ける前に予め消費燃料料金を知ることができる。
【先行技術文献】
【特許文献】
【０００３】
【特許文献１】特開２０１０−１８６２３８号公報
【発明の概要】
【発明が解決しようとする課題】
【０００４】
車外の給電装置に電気的に接続可能に構成されたハイブリッド車両（いわゆるプラグインハイブリッド車両）のなかには、停車中の制御モードとして、車両の走行を禁止しつつ、車載の補機装置（オーディオ装置、空調装置など）を作動することを許容することで、車室内を自分の部屋のように利用することができる「マイルームモード」を有するものがある。
【０００５】
今後、マイルームモードを有する車両が社会に広く普及していくと、当該車両を所有者が使用していない期間に、所有者以外の他者に当該車両を貸し出して、マイルームモードでの当該車両の利用を他者にシェアさせるサービスが普及していくことが想定される。
【０００６】
マイルームモードでの車両の利用を他者にシェアさせる際には、車両を貸し出す所有者側も車両を借りる他者側も、マイルームシェア利用に伴なう予定料金を予め知っておきたいというニーズが存在する。このようなニーズおよび当該ニーズに応える具体的な構成について、特許文献１には何ら示されていない。
【０００７】
本開示は、上述の課題を解決するためになされたものであって、その目的は、車両を貸し出す所有者および車両を借りる他者の双方がマイルームシェア利用に伴なう予定料金を予め知った上で、マイルームシェア利用を成立させることである。
【課題を解決するための手段】
【０００８】
本開示による情報提供システムは、内燃機関と内燃機関に接続される回転電機と回転電機に接続される蓄電装置とを有する車両を所有者以外の他者に貸し出すカーシェアリングサービスを提供するための情報を提供する。車両は、停車中の制御モードとして、車両の走行を禁止しつつ、内燃機関の動力を用いて回転電機が発電したエンジン発電電力または車外から供給される外部電力で車両の補機装置を作動することを許容するマイルームモードを有する。情報提供システムは、所有者が利用可能な第１端末と、他者が利用可能な第２端末と、車両、第１端末および第２端末と通信可能に構成されたサーバとを備える。サーバは、マイルームモードでの車両のシェア利用を所有者が許可している場合に、車両の電力残量および燃料残量を含むシェア許可情報を車両から取得する。サーバは、マイルームモードでの車両のシェア利用を他者が要求している場合に、他者による車両の利用予定時間を含むシェア要求情報を第２端末から取得する。サーバは、シェア許可情報およびシェア要求情報に基づいてマイルームモードでの車両のシェア利用に伴なう課金情報を生成し、課金情報を含むシェア条件を第１端末および第２端末にそれぞれ送信してマイルームモードでの車両のシェア利用の可否を所有者および他者に問合せる。サーバは、所有者および他者の双方がシェア条件を承認した場合に、他者と車両とをマッチングし、マッチングされたことを示す情報を第１端末および第２端末にそれぞれ送信する。
【０００９】
上記システムによれば、マイルームモードでの車両のシェア利用に伴なう課金情報を含むシェア条件が所有者および他者の双方に送信される。そして、所有者および他者の双方がシェア条件を承認した場合に、他者と車両とがマッチングされる。そのため、所有者および他者の双方がマイルームシェア利用に伴なう予定料金を予め知った上で、マイルームシェア利用を成立させることができる。
【発明の効果】
【００１０】
本開示によれば、車両を貸し出す所有者および車両を借りる他者の双方がマイルームシェア利用に伴なう予定料金を予め知った上で、マイルームシェア利用を成立させることができる。
【図面の簡単な説明】
【００１１】
【図１】情報提供システムの全体構成の一例を模式的に示す図である。
【図２】車両の構成の一例を概略的に示す図である。
【図３】オーナー端末、シェアユーザ端末、およびサーバの構成の一例を概略的に示す図である。
【図４】車両の制御装置がマイルームモードを設定する際に実行する処理手順の一例を示すフローチャートである。
【図５】車両、オーナー端末、シェアユーザ端末、サーバで実行される処理の一例を示すシーケンス図である。
【発明を実施するための形態】
【００１２】
以下、本実施の形態について、図面を参照しながら詳細に説明する。なお、図中同一または相当部分には同一符号を付してその説明は繰り返さない。
【００１３】
＜システムの全体構成＞
図１は、本実施の形態による情報提供システムの全体構成の一例を模式的に示す図である。この情報提供システムは、車両１と、オーナー端末４と、シェアユーザ端末５と、サーバ６とを含む。
【００１４】
車両１は、駆動力源としてモータとエンジンとを備えるハイブリッド車両である。また、車両１は、車外の給電装置２に充電ケーブル３を介して接続可能に構成され、給電装置２から電力の供給を受けて車載の蓄電装置を充電する外部充電を実行可能に構成される、いわゆるプラグイン車両である。また、車両１は、サーバ６との間で無線通信可能に構成される、いわゆるコネクティッド車両である。なお、車両１は、充電ケーブル３を介することなく、給電装置との磁気結合によって給電装置から非接触（ワイヤレス）で受電可能に構成される車両であってもよい。
【００１５】
車両１は、車両１の所有者（オーナー）が使用者となる「オーナーモード」と、所有者以外の他者（シェアユーザ）が使用者となる「カーシェアモード」とのどちらかに使用モードを切替可能に構成される。カーシェアモードは、急速に社会に普及しつつあるカーシェアシステムを利用する際に適用される使用モードである。カーシェアシステムとは、オーナーが車両１をシェアユーザに貸し出し、当該シェアユーザにオーナーの車両１を利用させるカーシェアリングサービスを提供するためのシステムである。
【００１６】
オーナー端末４は、車両１のオーナーが所持する携帯端末（スマートフォン等）である。シェアユーザ端末５は、シェアユーザが所持する携帯端末（スマートフォン等）である。
【００１７】
サーバ６は、車両１が利用するカーシェアシステムの管理を行なう。具体的には、サーバ６は、車両１、オーナー端末４およびシェアユーザ端末５と通信することによって、車両１およびオーナーからの情報を取得してシェアユーザに通知したり、シェアユーザからの情報を取得して車両１およびオーナーに通知したりする。
【００１８】
＜車両の構成＞
図２は、車両１の構成の一例を概略的に示す図である。車両１は、蓄電装置１０と、監視ユニット１５と、システムメインリレー（以下「ＳＭＲ：System  Main  Relay）」ともいう）２０と、パワーコントロールユニット（以下「ＰＣＵ（Power  Control  Unit）」ともいう）３０と、モータジェネレータ（回転電機）４１，４２と、エンジン（内燃機関）５０と、動力分割装置６０と、駆動軸７０と、駆動輪８０と、通信装置９１と、ＨＭＩ（Human  Machine  Interface）装置９２と、ＧＰＳ（Global  Positioning  System）モジュール９３と、アクセルペダルセンサ９４と、シフトレバー９５と、シフトポジションセンサ９６と、制御装置１００とを備える。さらに、車両１は、メインＤＣ／ＤＣコンバータ１１０と、補機電池１２０と、低圧補機負荷１３０と、高圧補機負荷１４０と、充電リレー２１０と、充電装置２２０と、インレット２３０と、サブＤＣ／ＤＣコンバータ２４０とを備える。
【００１９】
蓄電装置１０は、積層された複数の電池を含んで構成される。電池は、たとえば、ニッケル水素電池、リチウムイオン電池等の二次電池である。なお、蓄電装置１０は、大容量のキャパシタであってもよい。
【００２０】
監視ユニット１５は、蓄電装置１０の状態（電圧、電流、温度など）を監視し、その結果を制御装置１００に出力する。
【００２１】
ＰＣＵ３０は、制御装置１００からの制御信号に応じて、蓄電装置１０とモータジェネレータ４１，４２との間で電力変換を行なうことによって、モータジェネレータ４１，４２をそれぞれ別々に制御可能に構成される。
【００２２】
モータジェネレータ４１，４２の各々は、交流の回転電機であり、たとえば、永久磁石がロータ（図示せず）に埋設された三相交流回転電機である。モータジェネレータ４１は、動力分割装置６０を介してエンジン５０のクランク軸に連結される。モータジェネレータ４１は、エンジン５０を始動する際に蓄電装置１０の電力を用いてエンジン５０のクランク軸を回転させる。また、モータジェネレータ４１は、車両１の走行中および停車中において、エンジン５０の動力を用いて発電することも可能である。
【００２３】
モータジェネレータ４２は、蓄電装置１０からの電力およびモータジェネレータ４１により発電された電力の少なくとも一方を用いて駆動軸７０を回転させる。また、モータジェネレータ４２は、制動時や加速度低減時には、回生制動によって発電することも可能である。
【００２４】
エンジン５０は、たとえば、ガソリンエンジン、ディーゼルエンジン等の内燃機関である。エンジン５０は、制御装置１００からの制御信号によって制御される。
【００２５】
動力分割装置６０は、たとえば、サンギヤ、キャリア、および、リングギヤの３つの回転軸を有する遊星歯車機構であって、エンジン５０が発生した動力を、駆動輪８０に伝達される動力と、モータジェネレータ４１に伝達される動力とに分割する。
【００２６】
通信装置９１は、サーバ６との間で無線通信可能に構成される。通信装置９１は、制御装置１００と通信線で接続されており、制御装置１００から伝達された情報をサーバ６に送信したり、サーバ６から受信した情報を制御装置１００に伝達したりする。
【００２７】
ＨＭＩ装置９２は、車両１に関するさまざまな情報を使用者に提供したり、使用者の操作を受け付けたりする装置である。ＨＭＩ装置９２は、室内に設けられたディスプレイ、スピーカなどを含む。
【００２８】
ＧＰＳモジュール９３は、衛星測位システムにおいて用いられる受信装置を含む。ＧＰＳモジュール９３は、受信された信号に基づいて車両１の現在位置を算出し、算出結果を制御装置１００に出力する。なお、ＧＰＳモジュール９３は、地図データベースを備えたナビゲーション装置に組み込まれていてもよい。
【００２９】
アクセルペダルセンサ９４は、使用者（運転者）によるアクセルペダル（図示せず）の操作量を検出し、その結果を制御装置１００に出力する。
【００３０】
シフトポジションセンサ９６は、使用者（運転者）によって操作されるシフトレバー９５の位置（シフトポジション）を検出し、その結果を制御装置１００に出力する。制御装置１００は、前進レンジ、後進レンジ、ニュートラルレンジ、駐車レンジなどを含む複数のシフトレンジのうちから、シフトポジションに対応するレンジを選択し、選択されたレンジを車両１のシフトレンジに設定する。なお、駐車レンジにおいては、駆動軸７０および駆動輪８０の回転が物理的に固定（ロック）される。
【００３１】
補機電池１２０は、低電圧線ＥＬに接続され、車両１に搭載される低圧補機負荷１３０を作動するための電力を蓄える。補機電池１２０は、たとえば、鉛蓄電池を含んで構成される。補機電池１２０の電圧は、蓄電装置１０の電圧よりも低く、たとえば、１２Ｖ程度である。
【００３２】
低圧補機負荷１３０は、低電圧線ＥＬに接続され、低電圧線ＥＬから供給される電力で作動する。低圧補機負荷１３０は、たとえば、照明装置、ワイパー装置、オーディオ装置、ナビゲーションシステム、ヘッドライト、室内コンセントなどの電気負荷である。
【００３３】
高圧補機負荷１４０は、ＳＭＲ２０とＰＣＵ３０とを結ぶ高電圧線ＰＬ，ＮＬに接続され、高電圧線ＰＬ，ＮＬから供給される電力で作動する。高圧補機負荷１４０は、たとえば、空調装置などの電気負荷である。
【００３４】
メインＤＣ／ＤＣコンバータ１１０は、高電圧線ＰＬ，ＮＬと低電圧線ＥＬとの間に接続され、高電圧線ＰＬ，ＮＬから供給される電力を降圧して低電圧線ＥＬに供給する。メインＤＣ／ＤＣコンバータ１１０は、制御装置１００によって制御される。
【００３５】
インレット２３０は、充電ケーブル３を介して給電装置２に接続可能に構成される。インレット２３０に充電ケーブル３が接続された場合、インレット２３０に充電ケーブル３が接続されたことを示す信号がインレット２３０から制御装置１００に出力される。
【００３６】
充電装置２２０は、インレット２３０と充電リレー２１０との間に接続される。充電装置２２０は、給電装置２から充電ケーブル３およびインレット２３０を介して供給される交流電力を直流電力に変換して充電リレー２１０に出力する。なお、給電装置２から車両１に供給される電力は直流電力であってもよい。この場合、充電装置２２０を省略することが可能である。
【００３７】
充電リレー２１０は、蓄電装置１０と充電装置２２０とを結ぶ高電圧線に電気的に接続されている。充電リレー２１０は、制御装置１００からの制御信号に応じて、開閉状態が切り替えられる。
【００３８】
サブＤＣ／ＤＣコンバータ２４０は、充電装置２２０と低電圧線ＥＬとの間に接続され、インレット２３０から供給される電力を降圧して低電圧線ＥＬに供給する。サブＤＣ／ＤＣコンバータ２４０は、制御装置１００によって制御される。
【００３９】
制御装置１００は、ＣＰＵ（Central  Processing  Unit）と、メモリと、各種信号が入出力される入出力ポート（図示せず）とを含んで構成される。制御装置１００は、各センサなどからの信号の入力および各機器への制御信号の出力を行なうとともに、各機器の制御を行なう。なお、これらの制御については、ソフトウェアによる処理に限られず、専用のハードウェア（電子回路）で構築して処理することも可能である。
【００４０】
＜オーナー端末、シェアユーザ端末、およびサーバの構成＞
図３は、オーナー端末４、シェアユーザ端末５、およびサーバ６の構成の一例を概略的に示す図である。
【００４１】
オーナー端末４は、通信部４ａと、入力部４ｂと、記憶部４ｃと、表示部４ｄと、制御部４ｅとを含む。通信部４ａは、通信ネットワークを介して外部の機器と無線通信を行なうためのインターフェースである。入力部４ｂは、タッチパネル等で構成されており、オーナーによる操作を受け付ける。記憶部４ｃには、外部の機器から受信した情報などが記憶される。表示部４ｄは、たとえば液晶パネルで構成されており、各種情報を表示する。制御部４ｅは、通信部４ａが受信した情報、入力部４ｂに入力された情報、および記憶部４ｃに記憶された情報に基づいて、各種の演算処理を行ない、その結果を表示部４ｄに表示させたり、通信部４ｄから外部に出力したりする。なお、オーナー端末４は、車両１と直接的に通信可能に構成されてもよい。また、オーナー端末４は、車両１に搭載される通信機器であってもよい。
【００４２】
シェアユーザ端末５は、通信部５ａと、入力部５ｂと、記憶部５ｃと、表示部５ｄと、制御部５ｅとを含む。シェアユーザ端末５の通信部５ａ、入力部５ｂ、記憶部５ｃ、表示部５ｄ、および制御部５ｅの各機能は、オーナー端末４の通信部４ａ、入力部４ｂ、記憶部４ｃ、表示部４ｄ、および制御部４ｅの各機能と同様であるため、シェアユーザ端末５の各部の詳細な説明は繰り返さない。
【００４３】
サーバ６は、制御部６ａと、記憶部６ｂと、通信部６ｃとを含む。通信部６ｃは、通信ネットワークを介して、車両１、オーナー端末４、シェアユーザ端末５などの外部の機器と通信を行なうためのインターフェースである。記憶部６ｂには、外部の機器から受信した情報などが記憶されている。制御部６ａは、通信部６ｃが受信した情報および記憶部６ｂに記憶された情報に基づいて、各種の演算処理（たとえば後述するマッチング処理など）を行なう。そして、制御部６ａは、演算結果を示す情報を車両１、オーナー端末４、シェアユーザ端末５などに出力する。
【００４４】
＜車両のマイルームモード＞
車両１は、停車中の制御モードとして、マイルームモードを有している。具体的には、シフトレンジが駐車レンジである状態でユーザが所定の操作を行なうと、制御装置１００は、車両１の制御モードをマイルームモードに設定する。
【００４５】
マイルームモード中においては、制御装置１００は、車両１の走行を禁止し、かつ補機装置（低圧補機負荷１３０、高圧補機負荷１４０など）の作動を許容する。これにより、ユーザは、車両１の室内において、空調装置を作動させながら休憩したり、オーディオ装置を作動させて音楽鑑賞したり、ユーザが持ち込んだ電気機器を車内コンセントに接続して使用したりすることができる。
【００４６】
マイルームモード中における車両１の走行禁止は、たとえば、アクセルペダルの操作量に関わらずアクセルペダルセンサ９４の出力をゼロに固定するとともに、シフトレバー９５の位置（シフトポジション）に関わらずシフトレンジを駐車レンジに固定することによって実現される。なお、アクセルペダルセンサ９４の出力をゼロに固定することに代えてあるいは加えて、アクセルペダルを操作量がゼロの位置に物理的に固定するようにしてもよい。また、シフトレンジを駐車レンジに固定することに代えてあるいは加えて、シフトレバー９５の位置（シフトポジション）を駐車ポジションに物理的に固定するようにしてもよい。これにより、マイルームモード中においては、モータジェネレータ４２が停止されるとともに、駆動輪８０の回転が規制（ロック）される。また、マイルームモード中においては、ユーザのアクセルペダル操作によってエンジン５０が始動したりエンジン５０の回転速度が変化したりすることもない。
【００４７】
本実施の形態による車両１は、マイルームモードとして、「マイルーム充電モード」と、「マイルーム発電モード」とを有している。
【００４８】
マイルーム充電モードは、給電装置２が充電ケーブル３を介して車両１のインレット２３０に接続された状態で設定可能である。マイルーム充電モード中においては、制御装置１００は、上述のように車両１の走行を禁止し、かつ、給電装置２からインレット２３０が受けた電力で外部充電を実行しながら補機装置（低圧補機負荷１３０、高圧補機負荷１４０など）を作動することを許容する。
【００４９】
具体的には、制御装置１００は、マイルーム充電モード中において、充電リレー２１０を閉じ、充電装置２２０およびサブＤＣ／ＤＣコンバータ２４０を必要に応じて作動させる。これにより、給電装置２からインレット２３０が受けた電力で蓄電装置１０が充電されるとともに、給電装置２からインレット２３０が受けた電力の一部がサブＤＣ／ＤＣコンバータ２４０から低電圧線ＥＬを介して低圧補機負荷１３０に供給される。
【００５０】
マイルーム充電モード中に高圧補機負荷１４０を作動させる場合には、制御装置１００は、さらにＳＭＲ２０を閉じる。これにより、給電装置２からインレット２３０が受けた電力の一部がＳＭＲ２０および高電圧線ＰＬ，ＮＬを介して高圧補機負荷１４０に供給される。また、マイルーム充電モード中に低圧補機負荷１３０の消費電力がサブＤＣ／ＤＣコンバータ２４０の容量（出力可能電力）を超える場合には、制御装置１００は、ＳＭＲ２０を閉じ、メインＤＣ／ＤＣコンバータ１１０を作動させる。これにより、低圧補機負荷１３０の作動電力が確保される。
【００５１】
一方、マイルーム発電モードは、給電装置２が車両１に接続されていない状態で設定可能である。すなわち、上述のマイルーム充電モードは、給電装置２が車両１に接続された状態でのみ設定可能であるが、給電装置２が設置されていない駐車場あるいはキャンプ場など、給電装置２を車両１に接続できない場所においても、マイルームモードで車両１の室内を利用したいというニーズが存在する。このニーズに対応するために、本実施の形態による車両１は、停車中にエンジン５０の動力を用いて発電可能なモータジェネレータ４１を備えることに鑑み、給電装置２が車両１に接続されていない状態で設定可能な「マイルーム発電モード」を有している。
【００５２】
マイルーム発電モード中においては、制御装置１００は、上述のように車両１の走行を禁止し、かつ、エンジン５０の動力を用いてモータジェネレータ４１が発電した電力で補機装置（低圧補機負荷１３０、高圧補機負荷１４０など）を作動することを許容する。
【００５３】
具体的には、制御装置１００は、マイルーム発電モード中において、ＳＭＲ２０を閉じ、メインＤＣ／ＤＣコンバータ１１０を必要に応じて作動させる。これにより、蓄電装置１０に蓄えられた電力が、高圧補機負荷１４０に供給されるとともに、メインＤＣ／ＤＣコンバータ１１０から低電圧線ＥＬを介して低圧補機負荷１３０に供給される。
【００５４】
マイルーム発電モード中において、蓄電装置１０の蓄電量が閾値Ｓｔｈよりも大きい場合には、制御装置１００は、エンジン５０の動力を用いたモータジェネレータ４１の発電（以下「エンジン発電」ともいう）を行なわない。したがって、エンジン５０、ＰＣＵ３０、モータジェネレータ４１は、いずれも停止される。
【００５５】
一方、マイルーム発電モード中において、蓄電装置１０の蓄電量が閾値Ｓｔｈよりも低下した場合には、制御装置１００は、上述のエンジン発電を行なう。すなわち、制御装置１００は、エンジン５０を作動させてエンジン発電を行ない、エンジン発電で得られた電力が高電圧線ＰＬ，ＮＬに供給されるように、エンジン５０、ＰＣＵ３０、モータジェネレータ４１を制御する。これにより、エンジン発電で得られた電力が、高電圧線ＰＬ，ＮＬを介して高圧補機負荷１４０に供給されるともに、高電圧線ＰＬ，ＮＬ、メインＤＣ／ＤＣコンバータ１１０、低電圧線ＥＬを介して低圧補機負荷１３０に供給される。これにより、低圧補機負荷１３０および高圧補機負荷１４０の作動電力が確保される。
【００５６】
また、エンジン発電で得られた電力は、高電圧線ＰＬ，ＮＬおよびＳＭＲ２０を介して蓄電装置１０に供給され、蓄電装置１０が充電される。これにより、蓄電装置１０の蓄電量が閾値Ｓｔｈよりも大きくなると、制御装置１００は、エンジン発電を停止する。
【００５７】
なお、マイルーム発電モード中にエンジン発電を行なう条件は、蓄電装置１０の蓄電量が閾値Ｓｔｈよりも低下したという条件に限定されない。たとえば、マイルーム発電モード中において補機装置（低圧補機負荷１３０、高圧補機負荷１４０など）の消費電力の合計が所定値よりも大きい場合には、エンジン発電を行なうようにしてもよい。これにより、補機装置の消費電力が大きいために蓄電装置１０の蓄電量が低下することを予測して、予めエンジン発電を行なうことができる。
【００５８】
図４は、制御装置１００がマイルームモードを設定する際に実行する処理手順の一例を示すフローチャートである。このフローチャートは、予め定められた条件が成立する毎（たとえば所定周期毎）に繰り返し実行される。
【００５９】
制御装置１００は、車両１が駐車レンジで停車しているか否かを判定する（ステップＳ０１）。車両１が駐車レンジで停車していない場合（ステップＳ０１においてＮＯ）、制御装置１００は、以降の処理をスキップしてリターンへと処理を移す。
【００６０】
車両１が駐車レンジで停車している場合（ステップＳ０１においてＹＥＳ）、制御装置１００は、給電装置２が車両１のインレット２３０に接続されているか否かを判定する（ステップＳ０２）。
【００６１】
給電装置２が車両１のインレット２３０に接続されている場合（ステップＳ０２においてＹＥＳ）、制御装置１００は、マイルーム要求があるか否かを判定する（ステップＳ０３）。たとえば、制御装置１００は、現在の制御モードがマイルーム充電モードでない場合においては、ユーザがマイルームを要求する操作をＨＭＩ装置９２に対して行なった場合に、マイルーム要求があると判定する。また、たとえば、現在の制御モードが既にマイルーム充電モードである場合には、制御装置１００は、ユーザがマイルーム充電モードを解除する操作をしない限り、マイルーム要求があると判定する。
【００６２】
マイルーム要求がない場合（ステップＳ０３においてＮＯ）、制御装置１００は、以降の処理をスキップしてリターンへと処理を移す。
【００６３】
マイルーム要求がある場合（ステップＳ０３においてＹＥＳ）、制御装置１００は、制御モードを上述のマイルーム充電モードに設定する（ステップＳ０４）。なお、マイルーム充電モード中の制御については、上述したとおりであるため、ここでの詳細な説明は繰り返さない。
【００６４】
一方、給電装置２が車両１のインレット２３０に接続されていない場合（ステップＳ０２においてＮＯ）、制御装置１００は、マイルーム要求があるか否かを判定する（ステップＳ０５）。たとえば、制御装置１００は、現在の制御モードがマイルーム発電モードでない場合においては、ユーザがマイルームを要求する操作をＨＭＩ装置９２に対して行なった場合に、マイルーム要求があると判定する。また、たとえば、現在の制御モードが既にマイルーム発電モードである場合には、制御装置１００は、ユーザがマイルーム発電モードを解除する操作をしない限り、マイルーム要求があると判定する。
【００６５】
マイルーム要求がない場合（ステップＳ０５においてＮＯ）、制御装置１００は、以降の処理をスキップしてリターンへと処理を移す。
【００６６】
マイルーム要求がある場合（ステップＳ０５においてＹＥＳ）、制御装置１００は、制御モードを上述のマイルーム発電モードに設定する（ステップＳ０６）。なお、マイルーム発電モード中の制御については、上述したとおりであるため、ここでの詳細な説明は繰り返さない。
【００６７】
＜マイルームシェア＞
本実施の形態による車両１は、上述のように、停車中の制御モードとして、車室内を自分の部屋のように利用することができるマイルームモード（マイルーム充電モード、マイルーム発電モード）を有する。また、本実施の形態による車両１は、上述のように、車両１の使用モードを、オーナー以外のシェアユーザが使用者となる「カーシェアモード」に切替可能に構成される。車両１の使用モードが「カーシェアモード」である場合には、車両１をシェアユーザに貸し出して、マイルームモードでの車両１の利用をシェアユーザにシェアさせることが可能である。
【００６８】
マイルームモードでの車両１の利用をシェアユーザにシェアさせる際には、車両１を貸し出すオーナー側も車両１を借りるシェアユーザ側も、マイルームシェア利用に伴なう予定料金を予め知っておきたいというニーズが存在する。
【００６９】
このニーズに対応するために、本実施の形態による情報提供システムは、マイルームモードでの車両１の利用を要求するシェアユーザがいる場合に、シェアユーザおよび車両１のオーナーの双方にマイルームシェア利用に伴なって生じる予定料金を予め通知し、シェアユーザおよびオーナーがマイルームシェア利用を承認するか否かを選択できるようにするサービスを提供する。以下、このサービスの詳細について説明する。
【００７０】
図５は、車両１（より詳しくは制御装置１００）、オーナー端末４（より詳しくは制御部４ｅ）、シェアユーザ端末５（より詳しくは制御部７ｅ）、サーバ６（より詳しくは制御部６ａ）で実行される処理の一例を示すシーケンス図である。
【００７１】
車両１のオーナーが車両１を所定の駐車場所に停車させた後、車両１の使用モードを「カーシェアモード」に切り替え、かつマイルームシェア利用を許可する操作をＨＭＩ装置９２に対して行なった場合、車両１は、マイルームシェア許可情報をサーバ６に送信する（ステップＳ１１）。マイルームシェア許可情報には、車両１の電力残量（蓄電装置１０の蓄電量）、燃料残量、駐車位置（経度および緯度）、駐車場料金、車両情報が含まれる。なお、車両情報には、車両ＩＤ、車名、乗車定員、排気量、特徴的な装備（たとえば大容量の荷室など）を示す情報などが含まれる。
【００７２】
サーバ６は、車両１からマイルームシェア許可情報を受信すると、受信したマイルームシェア許可情報を記憶部６ｂに記憶する（ステップＳ６１）。
【００７３】
シェアユーザがマイルームシェア要求情報をシェアユーザ端末５の入力部５ｂに対して入力する操作を行なった場合、シェアユーザ端末５は、入力されたマイルームシェア要求情報をサーバ６に送信する（ステップＳ５１）。マイルームシェア要求情報には、シェアユーザによるマイルームシェアの利用予定時間、利用予定エリア、利用目的（利用予定装備）などの情報が含まれる。
【００７４】
サーバ６は、車両１からのマイルームシェア許可情報を受信してから所定期間が経過するまでの期間にシェアユーザ端末５からマイルームシェア要求情報を受信すると、車両１からのマイルームシェア許可情報およびシェアユーザ端末５からのマイルームシェア要求情報に基づいて、マイルームシェア課金情報を生成する（ステップＳ６２）。マイルームシェア課金情報は、マイルームモードでの車両１のシェア利用に伴なう予定料金を示す情報である。
【００７５】
たとえば、サーバ６は、マイルームシェア要求情報に含まれる利用予定時間、利用目的などに基づいてマイルームシェア利用時に車両１で消費される総消費電力量を算出し、算出された総消費電力量とマイルームシェア許可情報に含まれる電力残量および燃料残量とに基づいて、マイルームシェア利用時における予定電力使用量（蓄電装置１０から出力される電力量）および予定燃料消費量（エンジン発電に消費される燃料量）を算出する。
【００７６】
そして、サーバ６は、算出された予定電力使用量と、マイルームシェア許可情報に含まれる駐車位置（地域）と、マイルームシェア要求情報に含まれる利用予定時間（時間帯）と、サーバ６の記憶部６ｂに予め記憶された電力単価情報（電力供給地域および電力供給時間帯と電力単価とを対応付けた情報）とに基づいて、予定電力使用量に相当する予定電力料金を算出する。具体的には、サーバ６は、電力単価情報を参照して、駐車位置（電力供給地域）および利用予定時間（電力供給時間帯）における電力単価を算出し、算出された電力単価を予定電力使用量に乗じた値を、予定電力料金として算出する。
【００７７】
さらに、サーバ６は、算出された予定燃料消費量と、マイルームシェア許可情報に含まれる駐車位置（地域）と、サーバ６の記憶部６ｂに予め記憶された燃料単価情報（燃料供給地域と燃料単価とを対応付けた情報）とに基づいて、予定燃料消費量に相当する予定燃料料金を算出する。具体的には、サーバ６は、燃料単価情報を参照して、駐車位置（燃料供給地域）における燃料単価を算出し、算出された燃料単価を予定燃料使用量に乗じた値を、予定燃料料金として算出する。
【００７８】
なお、燃料単価情報および電力単価情報は、たとえば、一般利用者から提供されるビーグデータに基づいて所定周期毎に更新されるものであってもよい。
【００７９】
そして、サーバ６は、算出された予定電力料金および予定燃料料金と、マイルームシェア許可情報に含まれる駐車場料金とを合計した値を示す情報を、マイルームシェア課金情報として生成する。なお、マイルームシェア課金情報を生成する具体的な手法は上記の手法に限定されず、他の手法を用いてもよい。
【００８０】
次いで、サーバ６は、マイルームシェア課金情報、マイルームシェア許可情報、マイルームシェア要求情報を含むマイルームシェア条件を、オーナー端末４およびシェアユーザ端末５にそれぞれ通知して、マイルームシェア利用の可否をオーナーおよびシェアユーザに問合せる（ステップＳ６３）。
【００８１】
マイルームシェア条件を受信したオーナー端末４は、マイルームシェア条件を表示部４ｄに表示させる（ステップＳ４１）。オーナーは、表示部４ｄに表示されたマイルームシェア条件を確認した上で、シェアユーザによる車両１のマイルームシェア利用を承認するか否かを選択する操作を、入力部４ｂに対して行なうことができる。オーナー端末４は、シェアユーザによる車両１のマイルームシェア利用をオーナーが承認したか否かを判定し、その結果をサーバ６に回答する（ステップＳ４２）。
【００８２】
同様に、マイルームシェア条件を受信したシェアユーザ端末５は、マイルームシェア条件を表示部５ｄに表示させる（ステップＳ５２）。シェアユーザは、表示部５ｄに表示されたマイルームシェア条件を確認した上で、車両１のマイルームシェア利用を承認するか否かを選択する操作を、入力部５ｂに対して行なうことができる。シェアユーザ端末５は、車両１のマイルームシェア利用をシェアユーザが承認したか否かを判定し、その結果をサーバ６に回答する（ステップＳ５３）。
【００８３】
サーバ６は、オーナー端末４およびシェアユーザ端末５からの回答に基づいて、車両１とシェアユーザとのマッチング処理を行ない、その結果をオーナー端末４およびシェアユーザ端末５にそれぞれ通知する（ステップＳ６４）。サーバ６は、オーナーおよびシェアユーザの双方からマイルームシェア利用を承認する回答を得た場合、車両１とシェアユーザとのマッチングが成立したことを示す情報をオーナー端末４およびシェアユーザ端末５にそれぞれ通知する。一方、オーナーおよびシェアユーザの少なくとも一方からマイルームシェア利用を承認しない回答を得た場合、車両１とシェアユーザとのマッチングが不成立であることを示す情報をオーナー端末４およびシェアユーザ端末５にそれぞれ通知する。
【００８４】
以上のように、本実施の形態によるサーバ６は、車両１の電力残量および燃料残量を含むマイルームシェア許可情報を車両１から取得するとともに、シェアユーザによる車両１の利用予定時間を含むマイルームシェア要求情報をシェアユーザ端末５から取得する。サーバ６は、マイルームシェア許可情報およびマイルームシェア要求情報に基づいてマイルーム課金情報を生成し、マイルーム課金情報を含むマイルームシェア条件をオーナー端末４およびシェアユーザ端末５にそれぞれ送信して車両１のマイルームシェア利用の可否をオーナーおよびシェアユーザに問合せる。サーバ６は、オーナーおよびシェアユーザの双方がマイルームシェア条件を承認した場合に、シェアユーザと車両１とをマッチングし、マッチングされたことを示す情報をオーナー端末４およびシェアユーザ端末５にそれぞれ送信する。そのため、オーナーおよびシェアユーザの双方がマイルームシェア利用に伴なう予定料金を予め知った上で、マイルームシェア利用を承認するか否かを選択することができる。その結果、オーナーおよびシェアユーザの双方の希望を満たしつつ、マイルームシェア利用を成立させることができる。
【００８５】
特に、シェアユーザ端末５に通知されるマイルームシェア条件には、マイルーム課金情報に加えて、マイルームシェア許可情報が含まれる。このマイルームシェア許可情報には、車両１の電力残量、燃料残量、駐車位置、車両情報（車名、乗車定員、排気量、特徴的な装備を示す情報など）が含まれる。そのため、シェアユーザは、マイルーム利用したい車両１の電力残量、燃料残量、駐車位置、車両情報を予め知った上で、車両１を借りるか否かを選択することができる。
【００８６】
また、オーナー端末４に通知されるマイルームシェア条件には、マイルーム課金情報に加えて、マイルームシェア要求情報が含まれる。このマイルームシェア要求情報には、シェアユーザによる利用予定時間、利用予定エリア、利用目的などの情報が含まれる。そのため、シェアユーザは、シェアユーザによる利用予定時間、利用予定エリア、利用目的を予め知った上で、シェアユーザへの車両１の貸し出しを承認するか否かを選択することができる。
【００８７】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【００８８】
１  車両、２  給電装置、３  充電ケーブル、４  オーナー端末、４ａ，５ａ，６ｃ  通信部、４ｂ，５ｂ  入力部、４ｃ，５ｃ，６ｂ  記憶部、４ｄ，５ｄ  表示部、４ｅ，５ｅ，６ａ，７ｅ  制御部、５  シェアユーザ端末、６  サーバ、１０  蓄電装置、１５  監視ユニット、４１，４２  モータジェネレータ、５０  エンジン、６０  動力分割装置、７０  駆動軸、８０  駆動輪、９１  通信装置、９２  ＨＭＩ装置、９３  ＧＰＳモジュール、９４  アクセルペダルセンサ、９５  シフトレバー、９６  シフトポジションセンサ、１００  制御装置、１１０  メインＤＣ／ＤＣコンバータ、１２０  補機電池、１３０  低圧補機負荷、１４０  高圧補機負荷、２１０  充電リレー、２２０  充電装置、２３０  インレット、２４０  ＤＣ／ＤＣサブコンバータ。
【図１】
2020079993.tif 000003
【図２】
2020079993.tif 000004
【図３】
2020079993.tif 000005
【図４】
2020079993.tif 000006
【図５】
2020079993.tif 000007